(57)【要約】【課題】フックに関して複数のバリエーションを有する釣り用ルアーを提供する。【解決手段】ルアー１０は、ルアーボディ１１の後方に延出する支持部材１３に回転自在なブレード１４を有する。支持部材１３のルアーボディ１１から延出する基部付近にフックハンガ２２を設け、選択的に複数のフックを持ち得るようにする。支持部材１３は金属線材でなり、この金属線材の一端側をルアーボディ１１から延出させ、その延出部を折曲することによりフックハンガ２２が形成される。フックハンガ２２は、支持部材１３に対して弾発的に係合するとともに、係脱可能に形成される。【選択図】       図１
2006197903.tif 000002
【特許請求の範囲】
【請求項１】
ルアーボディの後方に延出する支持部材に回転自在なブレードを有する釣り用ルアーであって、
前記支持部材の前記ルアーボディから延出する基部付近にフックハンガを設け、選択的に複数のフックを持ち得るようにしたことを特徴とする釣り用ルアー。
【請求項２】
前記支持部材は金属線材でなり、この金属線材の一端側を前記ルアーボディから延出させ、その延出部を折曲することにより前記フックハンガが形成されることを特徴とする請求項１に記載の釣り用ルアー。
【請求項３】
前記フックハンガは、前記支持部材に対して弾発的に係合するとともに、係脱可能に形成されることを特徴とする請求項１または２に記載の釣り用ルアー。
【請求項４】
前記フックハンガは、前記支持部材の一部として一体に形成されることを特徴とする請求項１〜３のいずれか１項に記載の釣り用ルアー。
【発明の詳細な説明】
【技術分野】
【０００１】
本発明は、所謂スピナベイトの範疇に属し、水中を泳がせるタイプの釣り用ルアーに関するものである。
【背景技術】
【０００２】
この種の釣り用ルアーにおいて、ルアーボディの後方に延出する支持部材に回転自在なブレードを有するものが知られている。金属製のルアーボディの典型的には中程には、フック（釣り針）を係着するためのフックハンガが設けられている。かかるルアーを水中で泳がせることで、フックに魚が掛るようにしている。
【発明の開示】
【発明が解決しようとする課題】
【０００３】
しかしながら、従来の釣り用ルアーでは単一のフックを有するだけであり、釣り状況に応じたバリエーションを備えていない。したがって、必ずしも高い釣果を期待することができなかった。
【０００４】
本発明はかかる実情に鑑み、特にフックに関して複数のバリエーションを有する釣り用ルアーを提供することを目的とする。
【課題を解決するための手段】
【０００５】
本発明の釣り用ルアーは、ルアーボディの後方に延出する支持部材に回転自在なブレードを有する釣り用ルアーであって、前記支持部材の前記ルアーボディから延出する基部付近にフックハンガを設け、選択的に複数のフックを持ち得るようにしたことを特徴とする。
【０００６】
また、本発明の釣り用ルアーにおいて、前記支持部材は金属線材でなり、この金属線材の一端側を前記ルアーボディから延出させ、その延出部を折曲することにより前記フックハンガが形成されることを特徴とする。
【０００７】
また、本発明の釣り用ルアーにおいて、前記フックハンガは、前記支持部材に対して弾発的に係合するとともに、係脱可能に形成されることを特徴とする。
【０００８】
また、本発明の釣り用ルアーにおいて、前記フックハンガは、前記支持部材の一部として一体に形成されることを特徴とする。
【発明の効果】
【０００９】
本発明によれば、支持部材の基部にフックハンガを設ける。このフックハンガは、支持部材に対して係脱可能に形成され、これにより必要に応じて選択的に複数のフックを簡単に取り付けことができる。釣りの状況に合わせて最適なフックのバリエーションを選択することができ、高い釣果を期待することができる。
【発明を実施するための最良の形態】
【００１０】
以下、本発明による釣り用ルアーの好適な実施の形態について、添付図面に基づいて詳細に説明する。
図１は、本発明に係る釣り用ルアー１０を示している。ルアー１０は金属製のルアーボディ１１を有し、概略小魚に似せた形態となるように形成される。ルアーボディ１１の形成材料としては好適には鉛、錫あるいはビスマス等が選ばれる。なお、この例のようにルアーボディ１１のほぼ中央部付近に、１または複数の横方向の貫通穴１２を形成してもよい。
【００１１】
ルアーボディ１１の後方に延出する支持部材１３を有し、この支持部材１３には回転自在なブレード１４が支持される。支持部材１３は典型的にはステンレス鋼製の金属ワイヤでなり、この例では概略ルアーボディ１１の形態に沿うように金属線材を折曲し、その部分がルアーボディ１１にインサート成形されるとともに、インサート部と一体のルアーボディ１１からの露出部分が支持部材１３として構成される。
【００１２】
ルアーボディ１１の頭部付近に位置する金属線材の一部を突出させることにより、釣り糸１５を掛止する糸環１６が形成される。なお、釣り糸１５は、金属製のリング１７を介して糸環１６に掛止される。また、ルアーボディ１１の腹部付近に位置する金属線材の一部を突出させることにより、フック１８を係着するためのフックハンガ１９が形成される。なお、フック１８は、金属製のリング２０を介してフックハンガ１９に係着する。
【００１３】
ブレード１４はたとえば木葉状に形成され、スイベル２１を介して支持部材１３の後端に連結される。この連結部にスイベル２１を介在させることで、ブレード１４は回転自在となる。
【００１４】
さて、本発明のルアー１０において、支持部材１３のルアーボディ１１から延出する基部付近にフックハンガ２２を設ける。この実施形態では支持部材１３を構成する金属線材の一端側をルアーボディ１１から延出させ、その延出部を折曲することによりフックハンガ２２が形成される。このためフックハンガ２２は、支持部材１３の一部として一体に形成される。
【００１５】
フックハンガ２２は、支持部材１３に対して弾発的に係合するとともに、係脱可能に形成される。すなわち、図１に示されるようにルアーボディ１１から延出させた金属線材の一端側をループ状に成形し、さらにそのループの先端には支持部材１３に引っ掛かるように形成された係合部２２ａを有する。フックハンガ２２は支持部材１３から外れた自由状態では図示のように拡開しており、係合部２２ａを介して支持部材１３に引っ掛けることで弾発的に係合する。
【００１６】
ルアー１０の実使用において、図２（ａ）のようにフックハンガ２２に何も取り付けないで使用してもよく、また、図２（ｂ）のように所謂ダブルフック２３を取り付けることができる。なお、ダブルフック２３を取り付ける際にはフックハンガ２２の係合部２２ａを支持部材１３から外した状態にすることで、簡単に取り付けることができる。さらに、図２（ｃ）のように所謂アシストフック２４を取り付けることができる。なお、アシストフック２４は、ナイロンあるいはケブラー等の繊維材でなるヨリ糸部２４ａを介してフックハンガ２２に係着する。
【００１７】
上記のように支持部材１３の基部にフックハンガ２２を設け、この場合支持部材１３に対して係脱可能に形成される。図２の使用例にも示したようにユーザーの工夫や好みにより、フックハンガ２２には必要に応じて選択的に複数のフックを簡単に取り付けことができる。釣りの状況に合わせて最適なフックのバリエーションを選択することができ、高い釣果を期待することができる。
【００１８】
なお、本発明は、上述した実施形態にのみ限定されるものではなく、必要に応じて適宜変更、設定可能であり、上記実施形態と同様な作用効果を得ることができる。
たとえば図２に示した使用例の他、種々の態様で構成することができる。
【図面の簡単な説明】
【００１９】
【図１】本発明の実施形態に係る釣り用ルアーの構成例を示す図である。
【図２】本発明の実施形態における使用例を示す図である。
【符号の説明】
【００２０】
１０  ルアー
１１  ルアーボディ
１３  支持部材
１４  ブレード
１５  釣り糸
１８  フック
１９  フックハンガ
２１  スイベル
２２  フックハンガ
【図１】
2006197903.tif 000003
【図２】
2006197903.tif 000004